【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
通信回線を介して接続された複数の利用者端末に対してマルティメディアのコンテンツを配信する方法であって、配信するコンテンツの素材となる素材コンテンツを記憶する手順と、前記素材コンテンツの再生順序を時間軸に沿って定義したシナリオデータを記憶する手順と、１の利用者端末からの配信要求を受付ける手順と、前記受付けた配信要求において指定されたシナリオデータを取出す手順と、前記取り出されたシナリオデータを前記各利用者端末に配信する手順と、前記取出されたシナリオデータにおいて指定された素材コンテンツを取出す手順と、前記取出された素材コンテンツを前記各利用者端末に配信する手順とを備え、前記各利用者端末において、前記配信されたシナリオデータに基づいて、前記配信された素材コンテンツを再生するようにしたことを特徴とする、コンテンツ配信方法。
【請求項２】
通信回線を介して接続された複数の利用者端末に対してマルティメディアのコンテンツを配信する方法であって、配信するコンテンツの素材となる素材コンテンツを記憶する手順と、前記素材コンテンツの再生順序を時間軸に沿って定義したシナリオデータを記憶する手順と、１の利用者端末からの配信要求を受付ける手順と、前記受付けた配信要求において指定されたシナリオデータを取出す手順と、前記取出されたシナリオデータを前記各利用者端末に配信する手順と、前記各利用者端末から素材コンテンツの配信要求を受付ける手順と、前記受付けた配信要求において指定された素材コンテンツを取出す手順と、前記取出された素材コンテンツを前記配信要求を受付けた利用者端末に配信する手順とを備え、前記各利用者端末において、前記配信されたシナリオデータに基づいて、指定された素材コンテンツのうち自己の端末に保有しない素材コンテンツの配信を要求し、自己の端末に保有する素材コンテンツと前記要求に応じて配信された素材コンテンツとを組合せて再生するようにしたことを特徴とする、コンテンツ配信方法。
【請求項３】
前記１の利用者端末から操作情報を取得する手順と、前記取得された操作情報を前記各利用者端末に配信する手順とを備え、前記通信回線を介して接続された各利用者端末において、前記配信された操作情報に基づいて前記配信された素材コンテンツの再生を行うようにしたことを特徴とする、請求項１または請求項２に記載のコンテンツ配信方法。
【請求項４】
前記シナリオデータには配信するコンテンツの属性情報を含み、前記コンテンツの属性情報によりシナリオデータを検索する手順を有することを特徴とする、請求項１ないし請求項３のいずれかに記載のコンテンツ配信方法。
【請求項５】
前記シナリオデータには指定された素材コンテンツの属性情報を含み、前記素材コンテンツの属性情報によりシナリオデータまたは素材コンテンツを検索する手順を有することを特徴とする、請求項１ないし請求項４のいずれかに記載のコンテンツ配信方法。
【請求項６】
前記シナリオデータには指定された素材コンテンツを再生する時刻を配信コンテンツ内の相対時刻により指定する再生時刻指定情報を含み、前記複数の利用者端末において、前記配信されたシナリオデータにより指定された各素材コンテンツを、配信コンテンツの再生開始から前記再生時刻指定情報により指定された時間経過後に再生するようにしたことを特徴とする、請求項１ないし請求項５のいずれかに記載のコンテンツ配信方法。
【請求項７】
前記シナリオデータには指定された素材コンテンツの再生を自動で行うか手動で行うかを指定する再生方式指定情報を含み、前記各利用者端末において、前記配信されたシナリオデータにより指定された素材コンテンツを、前記再生方式指定情報が手動の場合には、特定の利用者端末から指定されたタイミングで再生するようにしたことを特徴とする、請求項１ないし請求項６のいずれかに記載のコンテンツ配信方法。
【請求項８】
前記シナリオデータには指定された素材コンテンツを再生するアプリケーションを指定する再生アプリケーション指定情報を含み、前記各利用者端末において、前記配信されたシナリオデータにより指定された素材コンテンツを、前記再生アプリケーション指定情報により指定されたアプリケーションにより再生するようにしたことを特徴とする、請求項１ないし請求項７のいずれかに記載のコンテンツ配信方法。
【請求項９】
前記シナリオデータには指定された素材コンテンツを再生する画面上の位置とサイズを配信コンテンツ内の相対位置により指定する再生画面指定情報を含み、前記各利用者端末において、前記配信されたシナリオデータにより指定された素材コンテンツを、配信コンテンツの表示画面内の前記再生画面指定情報により指定された位置とサイズで再生するようにしたことを特徴とする、請求項１ないし請求項８のいずれかに記載のコンテンツ配信方法。
【請求項１０】
前記シナリオデータには指定された素材コンテンツの再生において配信を要求した利用者端末が行うことのできる操作を指定する配信元端末操作指定情報を含み、前記各利用者端末において、前記配信されたシナリオデータにより指定された素材コンテンツを、前記配信を要求した利用者端末から前記配信元端末操作指定情報により指定された操作要求を受付けて再生を制御するようにしたことを特徴とする、請求項１ないし請求項９のいずれかに記載のコンテンツ配信方法。
【請求項１１】
前記シナリオデータには指定された素材コンテンツの再生において配信を受ける利用者端末が行うことができる操作を指定する配信先端末操作指定情報を含み、前記各利用者端末において、前記配信されたシナリオデータにより指定された素材コンテンツを、自己の端末から前記配信先端末操作指定情報により指定された操作要求を受付けて再生を制御するようにしたことを特徴とする、請求項１ないし請求項１０のいずれかに記載のコンテンツ配信方法。
【請求項１２】
前記シナリオデータには指定された素材コンテンツの格納場所を指定するロケーション情報を含み、前記各利用者端末において、前記配信されたシナリオデータにより指定された素材コンテンツを、前記ロケーション情報により指定された格納場所から取得して再生するようにしたことを特徴とする、請求項１ないし請求項１１のいずれかに記載のコンテンツ配信方法。
【請求項１３】
前記シナリオデータには指定された素材コンテンツの再生部分を指定する再生部分指定情報を含み、前記各利用者端末において、前記配信されたシナリオデータにより指定された素材コンテンツを、前記再生部分指定情報により指定された部分を再生するようにしたことを特徴とする、請求項１ないし請求項１２のいずれかに記載のコンテンツ配信方法。
【請求項１４】
請求項１ないし請求項１３のいずれかに記載のコンテンツ配信方法に使用するシナリオデータを記録した、コンピュータ読み取り可能な記録媒体。
【請求項１５】
請求項１ないし請求項１３のいずれかに記載のコンテンツ配信方法に使用するシナリオデータと、前記シナリオデータが指定する素材コンテンツとを記録した、コンピュータ読み取り可能な記録媒体。
【請求項１６】
前記シナリオデータを記憶する手順は、シナリオデータを生成する手順を含み、前記シナリオデータを生成する手順は、キーワードを入力する手順と、前記入力されたキーワードにより関連する素材コンテンツを検索する手順と、前記検索された素材コンテンツをシナリオデータに登録する手順とを含むことを特徴とする、請求項１ないし請求項１３のいずれかに記載のコンテンツ配信方法。
【請求項１７】
前記シナリオデータを記憶する手順は、配信するコンテンツの種別を表すジャンルと前記ジャンルに関連する関連情報との関係を記述したシナリオ辞書を記憶する手順と、シナリオデータを生成する手順とを含み、前記シナリオデータを生成する手順は、ジャンルを入力する手順と、前記入力されたジャンルにより前記記憶されたシナリオ辞書を参照して関連情報を検索する手順と、前記検索された関連情報からキーワードを選択する手順と、前記選択されたキーワードにより素材コンテンツを検索する手順と、前記検索された素材コンテンツをシナリオデータに登録する手順とを含むことを特徴とする、請求項１ないし請求項１３のいずれかに記載のコンテンツ配信方法。
【請求項１８】
前記検索された素材コンテンツをシナリオデータに登録する手順は、生成中のシナリオデータが指定する素材コンテンツの再生時間を時間軸に沿って表した再生チャートを表示する手順と、前記表示された再生チャートに素材コンテンツを設定する手順とを含むことを特徴とする、請求項１６または請求項１７に記載のコンテンツ配信方法。
【請求項１９】
前記シナリオデータを記憶する手順は、シナリオデータの基本構成パターンを記述したシナリオテンプレートを記憶する手順と、シナリオデータを生成する手順とを含み、前記シナリオデータを生成する手順は、ジャンルを入力する手順と、前記入力されたジャンルにより前記記憶されたシナリオテンプレートを参照して使用するシナリオテンプレートを検索する手順と、前記検索されたシナリオテンプレートに設定可能な素材コンテンツを検索する手順と、前記検索された素材コンテンツを前記検索されたシナリオテンプレートに登録する手順とを含むことを特徴とする、請求項１ないし請求項１３のいずれかに記載のコンテンツ配信方法。
【請求項２０】
前記シナリオデータを記憶する手順は、配信するコンテンツの種別を表すジャンルと前記ジャンルに関連する関連情報との関係を記述したシナリオ辞書を記憶する手順と、シナリオデータの基本構成パターンを記述したシナリオテンプレートを記憶する手順と、シナリオデータを生成する手順とを含み、前記シナリオデータを生成する手順は、ジャンルを入力する手順と、前記入力されたジャンルにより前記記憶されたシナリオ辞書を参照して関連情報を検索する手順と、前記検索された関連情報によりキーワードを選択する手順と、前記選択されたキーワードにより素材コンテンツを検索する手順と、前記入力されたジャンルにより前記記憶されたシナリオテンプレートを参照して使用するシナリオテンプレートを検索する手順と、前記検索された素材コンテンツを前記検索されたシナリオテンプレートに登録する手順とを含むことを特徴とする、請求項１ないし請求項１３のいずれかに記載のコンテンツ配信方法。
【請求項２１】
前記シナリオデータを記憶する手順により記憶されたシナリオデータをシナリオテンプレートとして使用できるようにしたことを特徴とする、請求項１９または請求項２０に記載のコンテンツ配信方法。